(57)【要約】【課題】録画装置に対して予約録画を行う場合に、既存の商品だけでなく、今後に発売される商品も含めてあらゆる録画装置に対応可能なデジタル放送受信装置を提供する。【解決手段】録画装置の電源オン，録画スタート，録画ストップ，電源オフのリモコン信号を赤外線リモコン信号受信装置１１０で受信し、ＣＰＵ１０７からシステムバス１００を通じてＥＥＰＲＯＭ１０８に信号を記憶する。ユーザが設定した録画時間になると、ＣＰＵ１０７からシステムバス１００を通じてＥＥＰＲＯＭ１０８から録画装置の電源オン，録画スタート，録画ストップ，電源オフのリモコン信号を読み出し、赤外線リモコン送信装置１０９から送信する。【選択図】図１
2006041672.tif 000002
【特許請求の範囲】
【請求項１】
ユーザが予約した時刻に録画装置にリモコン信号を送信するデジタル放送受信装置であって、録画装置の電源オン，録画スタート，録画ストップ，電源オフのリモコン信号を記憶する手段と、この記憶したリモコン信号を組み合わせて録画装置に送信する手段を備えたことを特徴とするデジタル放送受信装置。
【請求項２】
請求項１記載のデジタル放送受信装置であって、録画装置の電源オン，録画スタート，録画ストップ，電源オフのリモコン信号を送信する間隔を設定する手段と、この設定されたリモコン信号の送信間隔に基づいて録画装置にリモコン信号を送信する手段を備えたことを特徴とするデジタル放送受信装置。
【発明の詳細な説明】
【技術分野】
【０００１】
本発明は、デジタル放送に用いる受信装置（国際特許分類  Ｈ０４Ｎ１７／００）に関するものである。
【背景技術】
【０００２】
２０００年１２月に開始されたＢＳデジタル放送や２００３年１２月に開始された地上デジタル放送では、デジタル放送のサービスの一つである電子番組表（以下、ＥＰＧ）を利用した録画装置への録画予約が可能となっている。これにより、スポーツ番組など、番組が延長した場合でも、開始時刻に追従して録画することが可能であり、従来に増して自分の好きな時間に番組を楽しむことができるため、ＥＰＧを利用した録画予約が増加している。ＥＰＧと連動して録画装置にデジタル放送受信装置の出力信号を録画する方法としては赤外線リモコン通信システムが公知である（例えば、特許文献１参照）。
【特許文献１】特開２００２−２３８００１号公報
【発明の開示】
【発明が解決しようとする課題】
【０００３】
従来の技術では、予め主要なメーカーの録画装置のリモコンコードを記憶しておき、ユーザがＧＵＩにて録画装置のメーカーやリモコン信号の種別を設定していた。しかし、設定可能な録画装置のメーカーや機種が限定され、また、設定可能なメーカーの録画装置であっても各リモコン信号の送信間隔が異なるために実際には動作しないという課題があった。
【課題を解決するための手段】
【０００４】
上記課題を解決するために、本発明では、ユーザが予約した時刻に録画装置にリモコン信号を送信するデジタル放送受信装置であって、録画装置の電源オン，録画スタート，録画ストップ，電源オフのリモコン信号を記憶する手段と、この記憶したリモコン信号を組み合わせて録画装置に送信する手段と、録画装置の電源オン，録画スタート，録画ストップ，電源オフのリモコン信号を送信する間隔を設定する手段と、この設定されたリモコン信号の送信間隔に基づいて録画装置にリモコン信号を送信する手段とからなる。
【発明の効果】
【０００５】
本発明のデジタル放送受信装置によれば、録画装置のメーカーやリモコン信号の種別に依存することが無くなるため、既存の商品だけでなく、今後に発売される商品も含めてあらゆる録画装置に対応することができる。
【発明を実施するための最良の形態】
【０００６】
本発明の請求項１に記載の発明は、予約した時刻に録画装置にリモコン信号を送信するデジタル放送受信装置であって、録画装置の電源オン，録画スタート，録画ストップ，電源オフのリモコン信号を記憶する手段と、この記憶したリモコン信号を予約した時刻になると録画装置に送信するリモコン信号として用いる手段を備えたことを特徴とするデジタル放送受信装置であり、任意のリモコン信号を記憶し、その記憶したリモコン信号を組み合わせて送信できるといった作用を有する。
【０００７】
本発明の請求項２に記載の発明は、録画装置の電源オン，録画スタート，録画ストップ，電源オフのリモコン信号を送信する間隔を設定する手段と、この設定されたリモコン信号の送信間隔を予約した時刻に録画装置にリモコン信号を送信する間隔として用いる手段を備えたことを特徴とする請求項１記載のデジタル放送受信装置であり、リモコン信号の送信する間隔を任意に設定できるといった作用を有する。
【０００８】
（実施の形態１）
図１は本発明の実施の形態１におけるデジタル放送受信装置のハードウェアのブロック図であり、これについて説明する。ユーザが選局した信号を受信するＴｕｎｅｒ１０１、変調されているその信号を復調する復調器１０２、復調された信号から映像・音声・付加情報に分離するためのＴＳ  Ｄｅｃｏｄｅｒ１０３、分離された映像信号・音声信号をデコードするＡＶ  Ｄｅｃｏｄｅｒ１０４、プログラムや番組情報などを格納する記憶装置であるＦｌａｓｈＲＯＭ１０５、プログラムの内部情報などを格納する記憶装置であるＲＡＭ１０６、ユーザ固有の情報やデジタル放送受信装置のシステム設定情報などを格納する記憶装置であるＥＥＰＲＯＭ１０８、外部機器へのリモコン信号の送信を行う赤外線リモコン信号送信装置１０９、リモコン信号の受信を行う赤外線リモコン信号受信装置１１０、これらの装置をシステムバス１００を通じて制御するＣＰＵ１０７から構成される。
【０００９】
図２はデジタル放送受信装置のハードウェアのブロック図であり、これについて説明する。デジタル放送受信装置２００の赤外線信号出力端子２０６に赤外線信号ケーブル２０２を接続し、リモコン信号発光部２０４を録画装置２０１のリモコン信号受光部２０５に向けて設置する。ＥＰＧで録画予約を設定した場合、予約開始時刻にデジタル放送受信装置２００から赤外線信号ケーブル２０２を経由して録画装置２０１の電源オンのリモコン信号と録画スタートのリモコン信号がリモコン信号発光部２０４より発信され、録画装置２０１のリモコン信号受光部２０５でリモコン信号を受信することで録画装置２０１の録画が開始する。また、予約終了時刻にテレビジョン受信装置２００から赤外線信号ケーブル２０２を経由して録画装置２０１の録画ストップのリモコン信号と電源オフのリモコン信号が発信され録画装置２０１の録画予約が終了する。
【００１０】
以上の構成からなるデジタル放送受信装置における本発明の実施の形態１について図２及び図３、図４の処理フローを用いて以下に説明する。
【００１１】
図３のステップ３１で図２の録画装置２０１のリモコン信号を記憶するための設定画面を起動する。次にステップ３２で記憶するリモコン信号として電源オンを選択し、ステップ３３のリモコン信号の受信待ち状態とする。次に図２の録画装置のリモコン信号送信装置２０８のリモコン信号発光部２０９をデジタル放送受信装置２００のリモコン受光部２０７に向け、リモコン信号送信装置２０８の電源オンのリモコン信号送信ボタン２１０を押す。デジタル放送受信装置２００のリモコン信号受光部２０７でリモコン信号を受信すると図３のステップ３４で、受信したリモコン信号を電源オンのリモコン信号として記憶装置に格納する。次にステップ３５でＧＵＩにて記憶完了を表示する。記憶完了が表示された時点で図２の録画装置のリモコン信号送信装置２０８の電源オンのリモコン信号送信ボタン２１０を離す。
【００１２】
次は録画装置のリモコン信号の録画スタートの記憶であるが同様にステップ３１で設定画面を起動する。次にステップ３２で記憶するリモコン信号として録画スタートを選択し、ステップ３３のリモコン信号の受信待ち状態とする。次に図２の録画装置のリモコン信号送信装置２０８のリモコン信号発光部２０９をデジタル放送受信装置２００のリモコン受光部２０７に向け、リモコン信号送信装置２０８の録画スタートのリモコン信号送信ボタン２１１を押す。デジタル放送受信装置２００のリモコン信号受光部２０７でリモコン信号を受信すると図３のステップ３４で、受信したリモコン信号を録画スタートのリモコン信号として記憶装置に格納する。次にステップ３５でＧＵＩにて記憶完了を表示する。記憶完了が表示された時点で図２のリモコン信号送信装置２０８の録画スタートのリモコン信号送信ボタン２１１を離す。
【００１３】
次は録画装置のリモコン信号の録画ストップの記憶であるが同様にステップ３１で設定画面を起動する。次にステップ３２で記憶するリモコン信号として録画ストップを選択し、ステップ３３のリモコン信号の受信待ち状態とする。次に図２の録画装置のリモコン信号送信装置２０８のリモコン信号発光部２０９をデジタル放送受信装置２００のリモコン受光部２０７に向け、リモコン信号送信装置２０８の録画ストップのリモコン信号送信ボタン２１２を押す。デジタル放送受信装置２００のリモコン信号受光部２０７でリモコン信号を受信すると図３のステップ３４で、受信したリモコン信号を録画ストップのリモコン信号として記憶装置に格納する。次にステップ３５でＧＵＩにて記憶完了を表示する。記憶完了が表示された時点で図２のリモコン信号送信装置２０８の録画ストップのリモコン信号送信ボタン２１２を離す。
【００１４】
リモコン信号の電源オフの記憶も同様にステップ３１で設定画面を起動する。次にステップ３２で記憶するリモコン信号として電源オフを選択し、ステップ３３のリモコン信号の受信待ち状態とする。図２の録画装置のリモコン信号送信装置２０８のリモコン信号発光部２０９をデジタル放送受信装置２００のリモコン受光部２０７に向け、リモコン信号送信装置２０８の電源オフのリモコン信号送信ボタン２１３を押す。デジタル放送受信装置２００のリモコン信号受光部２０７でリモコン信号を受信すると図３のステップ３４で、受信したリモコン信号を電源オフのリモコン信号として記憶装置に格納する。次にステップ３５でＧＵＩにて記憶完了を表示する。記憶完了が表示された時点で図２のリモコン信号送信装置２０８の電源オフのリモコン信号送信ボタン２１３を離す。
【００１５】
以上で録画装置のリモコン信号の記憶が完了する。次にユーザが番組を予約すると、図４のステップ４１で予約開始時刻の判断処理を行い、予約時刻であればステップ４２で図２のデジタル放送受信装置２００から赤外線信号ケーブル２０２を経由して、録画装置２０１の電源オンとして記憶したリモコン信号をリモコン信号発光部２０４より送信することで、録画装置２０１のリモコン信号受光部２０５でリモコン信号を受信し、録画装置２０１の電源がオンする。次に、ステップ４３で録画装置２０１の録画スタートとして記憶したリモコン信号をリモコン信号発光部２０４より送信することで、録画装置２０１のリモコン信号受光部２０５でリモコン信号を受信し、録画装置２０１の録画が開始する。次にステップ４４で予約終了時刻の判断処理を行い、予約終了時刻であればステップ４５で図２のデジタル放送受信装置２００から赤外線信号ケーブル２０２を経由して、録画装置２０１の録画ストップとして記憶したモコン信号をリモコン信号発光部２０４より送信することで、録画装置２０１のリモコン信号受光部２０５でリモコン信号を受信し、録画装置２０１の録画が停止する。
【００１６】
次にステップ４６で録画装置２０１の電源オフとして記憶したリモコン信号をリモコン信号発光部２０４より送信することで、録画装置２０１のリモコン信号受光部２０５でリモコン信号を受信し、録画装置２０１の電源がオフする。これによりユーザの番組予約が終了する。
【００１７】
（実施の形態２）
本発明の実施の形態２は、実施の形態１にリモコン信号を送信する間隔を設定する手段と、この設定されたリモコン信号の送信間隔に基づいて録画装置にリモコン信号を送信する手段とを備えた点が異なる。本発明の実施の形態２について図２及び図５、図６の処理フローを用いて以下に説明する。
【００１８】
図５のステップ５１で図２の録画装置２０１に送信するリモコン信号の送信間隔を設定するための設定画面を起動する。次にステップ５２で設定するリモコン送信間隔として電源オンから録画スタートまでを選択する。次にステップ５３でＧＵＩ操作にて秒単位での時間を設定し、ステップ５４でこの時間を電源オンから録画スタートまでの送信間隔として格納する。次に録画ストップから電源オフまでの送信間隔の設定であるが同様にステップ５１で設定画面を起動する。次にステップ５２で設定するリモコン送信間隔として録画ストップから電源オフまでを選択する。次にステップ５３でＧＵＩ操作にて秒単位での時間を設定し、ステップ５４でこの時間を録画ストップから電源オフまでの送信間隔として格納する。
【００１９】
次に録画ストップから録画スタートまでの送信間隔の設定であるが同様にステップ５１で設定画面を起動する。次にステップ５２で設定するリモコン送信間隔として録画ストップから録画スタートまでを選択する。次にステップ５３でＧＵＩ操作にて秒単位での時間を設定し、ステップ５４でこの時間を録画ストップから録画スタートまでの送信間隔として格納する。次に電源オフから電源オンまでの送信間隔の設定であるが同様にステップ５１で設定画面を起動する。次にステップ５２で設定するリモコン送信間隔として電源オフから電源オンまでを選択する。次にステップ５３でＧＵＩ操作にて秒単位での時間を設定し、ステップ５４でこの時間を電源オフから電源オンまでの送信間隔として格納する。
【００２０】
以上で録画装置にリモコン信号を送信する間隔の設定が完了する。次にユーザが番組を予約すると、図６のステップ６１で予約開始時刻の判断処理を行い、予約時刻であればステップ６２で図２のデジタル放送受信装置２００から赤外線信号ケーブル２０２を経由して、録画装置２０１の電源オンとして記憶したリモコン信号をリモコン信号発光部２０４より送信することで、録画装置２０１のリモコン信号受光部２０５でリモコン信号を受信し、録画装置２０１の電源がオンする。次にステップ６３で電源オンから録画スタートまでの送信間隔として設定した時間が経過するのを待ち、時間が経過した後、ステップ６４で録画装置２０１の録画スタートとして記憶したリモコン信号をリモコン信号発光部２０４より送信することで、録画装置２０１のリモコン信号受光部２０５でリモコン信号を受信し、録画装置２０１の録画が開始する。
【００２１】
次にステップ６５で予約終了時刻の判断処理を行い、予約終了時刻であればステップ６６で図２のデジタル放送受信装置２００から赤外線信号ケーブル２０２を経由して、録画装置２０１の録画ストップとして記憶したモコン信号をリモコン信号発光部２０４より送信することで、録画装置２０１のリモコン信号受光部２０５でリモコン信号を受信し、録画装置２０１の録画が停止する。次にステップ６７で録画ストップから電源オフまでの送信間隔として設定した時間が経過するのを待ち、時間が経過した後、ステップ６８で録画装置２０１の電源オフとして記憶したリモコン信号をリモコン信号発光部２０４より送信することで、録画装置２０１のリモコン信号受光部２０５でリモコン信号を受信し、録画装置２０１の電源がオフする。これによりユーザの番組予約が終了する。
【００２２】
なお、本発明は上記した実施の形態に限定されるものではない。
【００２３】
以上、本発明は、所定のプログラムによって実現され、これをフロッピー（登録商標）ディスク等の記録媒体に記録して移送することにより、独立した他のコンピュータ・システムで容易に実施することができ、また製品においては、内蔵するメモリーに該プログラムが書き込まれ、受信装置のハードキーあるいはリモコンによりユーザが操作を行うことができる。
【産業上の利用可能性】
【００２４】
本発明のデジタル放送受信装置の録画装置に於ける予約録画の制御方法は、録画装置のメーカーやリモコン信号の種別に依存することが無くなるため、既存の商品だけでなく、今後に発売される商品も含めてあらゆる録画装置に対応することができる汎用性を有しており、デジタル放送に用いる受信装置等として有用である。
【図面の簡単な説明】
【００２５】
【図１】本発明の実施の形態１におけるデジタル放送受信装置のハードウェアのブロック図
【図２】本発明の実施の形態１、２におけるデジタル放送受信装置のハードウェアのブロック図
【図３】本発明の実施の形態１におけるデジタル放送受信装置の説明図
【図４】本発明の実施の形態１におけるデジタル放送受信装置の説明図
【図５】本発明の実施の形態２におけるデジタル放送受信装置の説明図
【図６】本発明の実施の形態２におけるデジタル放送受信装置の説明図
【符号の説明】
【００２６】
１００    システムバス
１０１    Ｔｕｎｅｒ
１０２    復調器
１０３    ＴＳ    Ｄｅｃｏｄｅｒ
１０４    ＡＶ    Ｄｅｃｏｄｅｒ
１０５    Ｆｌａｓｈ    ＲＯＭ
１０６    ＲＡＭ
１０７    ＣＰＵ
１０８    ＥＥＰＲＯＭ
１０９    赤外線リモコン送信装置
１１０    赤外線リモコン信号受信装置
２００    デジタル放送受信装置
２０１    録画装置
２０２    赤外線信号ケーブル
２０３    信号ケーブル
２０４    リモコン信号発光部
２０５    リモコン信号受光部
２０６    赤外線信号出力端子
２０７    リモコン信号受光部
２０８    録画装置のリモコン信号送信装置
２０９    リモコン信号発光部
２１０    電源オンのリモコン信号送信ボタン
２１１    録画スタートのリモコン信号送信ボタン
２１２    録画ストップのリモコン信号送信ボタン
２１３    電源オフのリモコン信号送信ボタン
【図１】
2006041672.tif 000003
【図２】
2006041672.tif 000004
【図３】
2006041672.tif 000005
【図４】
2006041672.tif 000006
【図５】
2006041672.tif 000007
【図６】
2006041672.tif 000008